【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントを備えるカメラ用アクセサリにおいて、
前記アクセサリ側マウントを前記カメラボディ側マウントに対して正規の挿抜位相で挿入した際に、前記第１〜第３の爪のいずれもが前記カメラボディ側マウントに設けられている３つのカメラボディ側爪に阻害されることなく、前記カメラボディ側マウントへの挿入が許可されるように、前記第１〜第３の爪は前記アクセサリ側マウントに配設されており、
前記第１〜第３の爪は、前記円周方向に延在する長さがそれぞれ異なり、
前記第１の爪は、前記円周方向に延在する長さが前記第１〜第３の爪の中で最も長く、
前記第３の爪は、前記円周方向に延在する長さが前記第１〜第３の爪の中で最も短く、
前記アクセサリ側マウントは、
前記第３の爪の近傍に設けられた規制部材と、
前記カメラボディに設けられたロックピンが挿入されることで前記カメラ用アクセサリの前記カメラボディに対する回転を規制するためのロックピン孔と、
を備え、
前記規制部材は、前記所定径の円の中心を挟んで、前記ロックピン孔の略反対側の位置に設けられていることを特徴とするカメラ用アクセサリ。
【請求項２】
カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントと、レンズと、を備えるカメラ用アクセサリにおいて、
前記アクセサリ側マウントを前記カメラボディ側マウントに対して正規の挿抜位相で挿入した際に、前記第１〜第３の爪のいずれもが前記カメラボディ側マウントに設けられている３つのカメラボディ側爪に阻害されることなく、前記カメラボディ側マウントへの挿入が許可されるように、前記第１〜第３の爪は前記アクセサリ側マウントに配設されており、
前記第１〜第３の爪は、前記円周方向に延在する長さがそれぞれ異なり、
前記第１の爪は、前記円周方向に延在する長さが前記第１〜第３の爪の中で最も長く、
前記第３の爪は、前記円周方向に延在する長さが前記第１〜第３の爪の中で最も短く、
前記アクセサリ側マウントは、
前記第３の爪の近傍に設けられた規制部材と、
前記カメラボディに設けられたロックピンが挿入されることで前記カメラ用アクセサリの前記カメラボディに対する回転を規制するためのロックピン孔と、
を備え、
前記規制部材は、前記レンズの光軸を挟んで、前記ロックピン孔の略反対側の位置に設けられていることを特徴とするカメラ用アクセサリ。
【請求項３】
請求項１または２に記載のカメラ用アクセサリにおいて、
前記規制部材は、
前記正規の挿抜位相で挿入された前記アクセサリ側マウントを前記カメラボディ側マウントに装着するために前記第１〜第３の爪を前記円周方向に沿って第１の回転方向に回転させた場合には、いずれか１つの前記カメラボディ側爪の側端に当接することで、前記第１の回転方向への回転範囲を規制し、且つ、
前記アクセサリ側マウントを前記カメラボディ側マウントから取り外すために前記第１〜第３の爪を前記円周方向に沿って、前記第１の回転方向とは反対の第２の回転方向に回転させた場合には、前記いずれか１つのカメラボディ側爪とは異なる前記カメラボディ側爪の側端に当接することで、前記第２の回転方向への回転範囲を規制する、
ことを特徴とするカメラ用アクセサリ。
【請求項４】
請求項１〜３のいずれか一項に記載のカメラ用アクセサリにおいて、
前記アクセサリ側マウントは、前記正規の挿抜位相以外の位相で挿入されようとした際には、前記第１〜第３の爪のうちの少なくとも２つの爪と、前記カメラボディ側爪のうちの少なくとも２つの爪とが当接することによって、前記カメラボディ側マウントへの挿入が禁止されることを特徴とするカメラ用アクセサリ。
【請求項５】
請求項１〜４のいずれか一項に記載のカメラ用アクセサリにおいて、
前記第１の爪は、前記正規の挿抜位相で挿入された前記アクセサリ側マウントを前記カメラボディ側マウントに装着完了させたときに、前記カメラボディの姿勢を、前記カメラボディを正立させた横位置の姿勢から略９０度回転させた縦位置としたときに最も上方に位置するカメラボディ側爪と重なり合うことを特徴とするカメラ用アクセサリ。
【請求項６】
請求項１〜５のいずれか一項に記載のカメラ用アクセサリにおいて、
前記第１〜第３の爪は、前記カメラ用アクセサリの本体に対して固定されていることを特徴とするカメラ用アクセサリ。
【請求項７】
請求項１〜５のいずれか一項に記載のカメラ用アクセサリにおいて、
前記第１〜第３の爪は、前記カメラ用アクセサリの本体に対して前記円周方向に回転可能に取り付けられていることを特徴とするカメラ用アクセサリ。
【請求項８】
請求項１〜７のいずれか一項に記載のカメラ用アクセサリにおいて、
前記第１〜第３の爪は、前記カメラボディ側マウントに装着完了されている前記アクセサリ側マウントを前記アクセサリの後方から見たときの９時の方向を基準とした時計方向の角度範囲で表した際に、略５６．５度から略１１５度の範囲に存在する爪と、略１７２．５度から略２１４．５度の範囲に存在する爪と、略２７２度から略３４３．５度の範囲に存在する爪とによって構成されることを特徴とするカメラ用アクセサリ。
【請求項９】
請求項１〜８のいずれか一項に記載のカメラ用アクセサリにおいて、
前記第１〜第３の爪において、各爪の、前記円周方向に延在する長さを円弧としてみたときの各爪の円弧の中心角は、
前記第１の爪の中心角が略７１．５度であり、前記第２の爪の中心角が略５８．５度であり、前記第３の爪の中心角が略４２度であることを特徴とするカメラ用アクセサリ。
【請求項１０】
請求項８または請求項９に記載のカメラ用アクセサリにおいて、
前記正規の挿抜位相で挿入された前記アクセサリ側マウントを前記カメラボディ側マウントに装着完了させるために前記第１〜第３の爪を前記円周方向に沿って略４０．５度回転させると、前記アクセサリ側マウントと前記ボディ側マウントとが装着完了されることを特徴とするカメラ用アクセサリ。
【請求項１１】
所定円の円周方向に沿って互いに離間して配設され且つ当該所定円の円周から径方向の内側に向かって突出して配設された互いに前記円周方向に延在する長さの異なる第１〜第３のカメラボディ側爪と、前記円周方向において前記３つのボディ側爪の間に設けられ且つ前記円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、
前記アクセサリ側マウントを前記カメラボディ側マウントに対して正規の挿抜位相で挿入した際に、前記第１〜第３のアクセサリ側爪のいずれもが、前記３つのカメラボディ側爪に阻害されることなく前記３つのカメラボディ側溝への挿入が許可されるように、前記第１〜第３のアクセサリ側爪は前記アクセサリ側マウントに配設されており、
前記第１のアクセサリ側爪は、前記アクセサリ側マウントを前記カメラボディ側マウントに対して正規の挿抜位相で挿入した際に、前記３つのカメラボディ側溝のうちの前記所定円の前記円周方向に延在する長さが最も長い前記第１のカメラボディ側溝への挿入が許可されるように前記アクセサリ側マウントに配設されており、
前記第２のアクセサリ側爪は、前記アクセサリ側マウントを前記カメラボディ側マウントに対して正規の挿抜位相で挿入した際に、前記３つのカメラボディ側溝のうちの前記第２のカメラボディ側溝への挿入が許可されるように前記アクセサリ側マウントに配設されており、
前記第３のアクセサリ側爪は、前記アクセサリ側マウントを前記カメラボディ側マウントに対して正規の挿抜位相で挿入した際に、前記３つのカメラボディ側溝のうちの前記所定円の前記円周方向に延在する長さが最も短い前記第３のカメラボディ側溝への挿入が許可されるように前記アクセサリ側マウントに配設されており、
前記アクセサリ側マウントは、
前記第３のアクセサリ側爪の近傍に設けられた規制部材と、
前記カメラボディに設けられたロックピンが挿入されると前記カメラ用アクセサリの前記カメラボディに対する回転を規制するためのロックピン孔と、
を備え、
前記規制部材は、前記所定径の円の中心を挟んで、前記ロックピン孔の略反対側の位置に設けられていることを特徴とするカメラ用アクセサリ。
【請求項１２】
所定円の円周方向に沿って互いに離間して配設され且つ当該所定円の円周から径方向の内側に向かって突出して配設された互いに前記円周方向に延在する長さの異なる第１〜第３のカメラボディ側爪と、前記円周方向において前記３つのボディ側爪の間に設けられ且つ前記円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、
前記アクセサリ側マウントを前記カメラボディ側マウントに対して正規の挿抜位相で挿入した際に、前記第１〜第３のアクセサリ側爪のいずれもが、前記３つのカメラボディ側爪に阻害されることなく前記３つのカメラボディ側溝への挿入が許可されるように、前記第１〜第３のアクセサリ側爪は前記アクセサリ側マウントに配設されており、
前記第１のアクセサリ側爪は、前記アクセサリ側マウントを前記カメラボディ側マウントに対して正規の挿抜位相で挿入した際に、前記所定円の前記円周方向に延在する範囲の中心角が略７８．５度の前記第１のカメラボディ側溝への挿入が許可されるように前記アクセサリ側マウントに配設されており、
前記第２のアクセサリ側爪は、前記アクセサリ側マウントを前記カメラボディ側マウントに対して正規の挿抜位相で挿入した際に、前記所定円の前記円周方向に延在する範囲の中心角が略６１度の前記第２のカメラボディ側溝への挿入が許可されるように前記アクセサリ側マウントに配設されており、
前記第３のアクセサリ側爪は、前記アクセサリ側マウントを前記カメラボディ側マウントに対して正規の挿抜位相で挿入した際に、前記所定円の前記円周方向に延在する範囲の中心角が略４７．５度の前記第３のカメラボディ側溝への挿入が許可されるように前記アクセサリ側マウントに配設されており、
前記アクセサリ側マウントは、
前記第３のアクセサリ側爪の近傍に設けられた規制部材と、
前記カメラボディに設けられたロックピンが挿入されると前記カメラ用アクセサリの前記カメラボディに対する回転を規制するためのロックピン孔と、
を備え、
前記規制部材は、前記所定径の円の中心を挟んで、前記ロックピン孔の略反対側の位置に設けられていることを特徴とするカメラ用アクセサリ。
【請求項１３】
所定円の円周方向に沿って互いに離間して配設され且つ当該所定円の円周から径方向の内側に向かって突出して配設された互いに前記円周方向に延在する長さの異なる第１〜第３のカメラボディ側爪と、前記円周方向において前記３つのボディ側爪の間に設けられ且つ前記円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントと、レンズと、を備えるカメラ用アクセサリにおいて、
前記アクセサリ側マウントを前記カメラボディ側マウントに対して正規の挿抜位相で挿入した際に、前記第１〜第３のアクセサリ側爪のいずれもが、前記３つのカメラボディ側爪に阻害されることなく前記３つのカメラボディ側溝への挿入が許可されるように、前記第１〜第３のアクセサリ側爪は前記アクセサリ側マウントに配設されており、
前記第１のアクセサリ側爪は、前記アクセサリ側マウントを前記カメラボディ側マウントに対して正規の挿抜位相で挿入した際に、前記３つのカメラボディ側溝のうちの前記所定円の前記円周方向に延在する長さが最も長い前記第１のカメラボディ側溝への挿入が許可されるように前記アクセサリ側マウントに配設されており、
前記第２のアクセサリ側爪は、前記アクセサリ側マウントを前記カメラボディ側マウントに対して正規の挿抜位相で挿入した際に、前記３つのカメラボディ側溝のうちの前記第２のカメラボディ側溝への挿入が許可されるように前記アクセサリ側マウントに配設されており、
前記第３のアクセサリ側爪は、前記アクセサリ側マウントを前記カメラボディ側マウントに対して正規の挿抜位相で挿入した際に、前記３つのカメラボディ側溝のうちの前記所定円の前記円周方向に延在する長さが最も短い前記第３のカメラボディ側溝への挿入が許可されるように前記アクセサリ側マウントに配設されており、
前記アクセサリ側マウントは、
前記第３のアクセサリ側爪の近傍に設けられた規制部材と、
前記カメラボディに設けられたロックピンが挿入されると前記カメラ用アクセサリの前記カメラボディに対する回転を規制するためのロックピン孔と、
を備え、
前記規制部材は、前記レンズの光軸を挟んで、前記ロックピン孔の略反対側の位置に設けられていることを特徴とするカメラ用アクセサリ。
【請求項１４】
所定円の円周方向に沿って互いに離間して配設され且つ当該所定円の円周から径方向の内側に向かって突出して配設された互いに前記円周方向に延在する長さの異なる第１〜第３のカメラボディ側爪と、前記円周方向において前記３つのボディ側爪の間に設けられ且つ前記円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントと、レンズと、を備えるカメラ用アクセサリにおいて、
前記アクセサリ側マウントを前記カメラボディ側マウントに対して正規の挿抜位相で挿入した際に、前記第１〜第３のアクセサリ側爪のいずれもが、前記３つのカメラボディ側爪に阻害されることなく前記３つのカメラボディ側溝への挿入が許可されるように、前記第１〜第３のアクセサリ側爪は前記アクセサリ側マウントに配設されており、
前記第１のアクセサリ側爪は、前記アクセサリ側マウントを前記カメラボディ側マウントに対して正規の挿抜位相で挿入した際に、前記所定円の前記円周方向に延在する範囲の中心角が略７８．５度の前記第１のカメラボディ側溝への挿入が許可されるように前記アクセサリ側マウントに配設されており、
前記第２のアクセサリ側爪は、前記アクセサリ側マウントを前記カメラボディ側マウントに対して正規の挿抜位相で挿入した際に、前記所定円の前記円周方向に延在する範囲の中心角が略６１度の前記第２のカメラボディ側溝への挿入が許可されるように前記アクセサリ側マウントに配設されており、
前記第３のアクセサリ側爪は、前記アクセサリ側マウントを前記カメラボディ側マウントに対して正規の挿抜位相で挿入した際に、前記所定円の前記円周方向に延在する範囲の中心角が略４７．５度の前記第３のカメラボディ側溝への挿入が許可されるように前記アクセサリ側マウントに配設されており、
前記アクセサリ側マウントは、
前記第３のアクセサリ側爪の近傍に設けられた規制部材と、
前記カメラボディに設けられたロックピンが挿入されると前記カメラ用アクセサリの前記カメラボディに対する回転を規制するためのロックピン孔と、
を備え、
前記規制部材は、前記レンズの光軸を挟んで、前記ロックピン孔の略反対側の位置に設けられていることを特徴とするカメラ用アクセサリ。
【請求項１５】
請求項１〜１４のいずれか一項に記載のカメラ用アクセサリにおいて、
前記第１のアクセサリ側爪は、前記所定径の円の円周方向に延在する範囲の中心角が略７１．５度になるように前記アクセサリ側マウントに配設されており、
前記第２のアクセサリ側爪は、前記所定径の円の円周方向に延在する範囲の中心角が略５８．５度になるように前記アクセサリ側マウントに配設されており、
前記第１のアクセサリ側爪は、前記所定径の円の円周方向に延在する範囲の中心角が略４２度になるように前記アクセサリ側マウントに配設されている、ことを特徴とするカメラ用アクセサリ。
【請求項１６】
請求項１〜１５のいずれか一項に記載のカメラ用アクセサリにおいて、
前記カメラ用アクセサリは、前記カメラボディに対して着脱可能に装着される撮影レンズであることを特徴とするカメラ用アクセサリ。
【手続補正２】
【補正対象書類名】明細書
【補正対象項目名】０００６
【補正方法】変更
【補正の内容】
【０００６】
（１）  請求項１の発明によるカメラ用アクセサリは、カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントを備えるカメラ用アクセサリにおいて、アクセサリ側マウントをカメラボディ側マウントに対して正規の挿抜位相で挿入した際に、第１〜第３の爪のいずれもがカメラボディ側マウントに設けられている３つのカメラボディ側爪に阻害されることなく、カメラボディ側マウントへの挿入が許可されるように、第１〜第３の爪はアクセサリ側マウントに配設されており、第１〜第３の爪は、円周方向に延在する長さがそれぞれ異なり、第１の爪は、円周方向に延在する長さが第１〜第３の爪の中で最も長く、第３の爪は、円周方向に延在する長さが第１〜第３の爪の中で最も短く、アクセサリ側マウントは、第３の爪の近傍に設けられた規制部材と、カメラボディに設けられたロックピンが挿入されることでカメラ用アクセサリのカメラボディに対する回転を規制するためのロックピン孔と、を備え、規制部材は、所定径の円の中心を挟んで、ロックピン孔の略反対側の位置に設けられていることを特徴とする。
（２）  請求項２の発明によるカメラ用アクセサリは、カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントと、レンズと、を備えるカメラ用アクセサリにおいて、アクセサリ側マウントをカメラボディ側マウントに対して正規の挿抜位相で挿入した際に、第１〜第３の爪のいずれもがカメラボディ側マウントに設けられている３つのカメラボディ側爪に阻害されることなく、カメラボディ側マウントへの挿入が許可されるように、第１〜第３の爪はアクセサリ側マウントに配設されており、第１〜第３の爪は、円周方向に延在する長さがそれぞれ異なり、第１の爪は、円周方向に延在する長さが第１〜第３の爪の中で最も長く、第３の爪は、円周方向に延在する長さが第１〜第３の爪の中で最も短く、アクセサリ側マウントは、第３の爪の近傍に設けられた規制部材と、カメラボディに設けられたロックピンが挿入されることでカメラ用アクセサリのカメラボディに対する回転を規制するためのロックピン孔と、を備え、規制部材は、レンズの光軸を挟んで、ロックピン孔の略反対側の位置に設けられていることを特徴とする。
（３）  請求項１１の発明によるカメラ用アクセサリは、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、３つのカメラボディ側溝のうちの所定円の円周方向に延在する長さが最も長い第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、３つのカメラボディ側溝のうちの第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、３つのカメラボディ側溝のうちの所定円の円周方向に延在する長さが最も短い第３のカメラボディ側溝への挿入が許可されるようにアクセサリ側マウントに配設されており、アクセサリ側マウントは、第３のアクセサリ側爪の近傍に設けられた規制部材と、カメラボディに設けられたロックピンが挿入されるとカメラ用アクセサリのカメラボディに対する回転を規制するためのロックピン孔と、を備え、規制部材は、所定径の円の中心を挟んで、ロックピン孔の略反対側の位置に設けられていることを特徴とする。
（４）  請求項１２の発明によるカメラ用アクセサリは、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、所定円の円周方向に延在する範囲の中心角が略７８．５度の第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、所定円の円周方向に延在する範囲の中心角が略６１度の第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、所定円の円周方向に延在する範囲の中心角が略４７．５度の第３のカメラボディ側溝への挿入が許可されるようにアクセサリ側マウントに配設されており、アクセサリ側マウントは、第３のアクセサリ側爪の近傍に設けられた規制部材と、カメラボディに設けられたロックピンが挿入されるとカメラ用アクセサリのカメラボディに対する回転を規制するためのロックピン孔と、を備え、規制部材は、所定径の円の中心を挟んで、ロックピン孔の略反対側の位置に設けられていることを特徴とする。
（５）  請求項１３の発明によるカメラ用アクセサリは、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントと、レンズと、を備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、３つのカメラボディ側溝のうちの所定円の円周方向に延在する長さが最も長い第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、３つのカメラボディ側溝のうちの第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、３つのカメラボディ側溝のうちの所定円の円周方向に延在する長さが最も短い第３のカメラボディ側溝への挿入が許可されるようにアクセサリ側マウントに配設されており、アクセサリ側マウントは、第３のアクセサリ側爪の近傍に設けられた規制部材と、カメラボディに設けられたロックピンが挿入されるとカメラ用アクセサリのカメラボディに対する回転を規制するためのロックピン孔と、を備え、規制部材は、レンズの光軸を挟んで、ロックピン孔の略反対側の位置に設けられていることを特徴とする。
（６）  請求項１４の発明によるカメラ用アクセサリは、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントと、レンズと、を備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、所定円の円周方向に延在する範囲の中心角が略７８．５度の第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、所定円の円周方向に延在する範囲の中心角が略６１度の第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、所定円の円周方向に延在する範囲の中心角が略４７．５度の第３のカメラボディ側溝への挿入が許可されるようにアクセサリ側マウントに配設されており、アクセサリ側マウントは、第３のアクセサリ側爪の近傍に設けられた規制部材と、カメラボディに設けられたロックピンが挿入されるとカメラ用アクセサリのカメラボディに対する回転を規制するためのロックピン孔と、を備え、規制部材は、レンズの光軸を挟んで、ロックピン孔の略反対側の位置に設けられていることを特徴とする。
【手続補正３】
【補正対象書類名】明細書
【補正対象項目名】０１５８
【補正方法】変更
【補正の内容】
【０１５８】
なお、本発明は、上述した実施の形態のものに何ら限定されず、カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントを備えるカメラ用アクセサリにおいて、アクセサリ側マウントをカメラボディ側マウントに対して正規の挿抜位相で挿入した際に、第１〜第３の爪のいずれもがカメラボディ側マウントに設けられている３つのカメラボディ側爪に阻害されることなく、カメラボディ側マウントへの挿入が許可されるように、第１〜第３の爪はアクセサリ側マウントに配設されており、第１〜第３の爪は、円周方向に延在する長さがそれぞれ異なり、第１の爪は、円周方向に延在する長さが第１〜第３の爪の中で最も長く、第３の爪は、円周方向に延在する長さが第１〜第３の爪の中で最も短く、アクセサリ側マウントは、第３の爪の近傍に設けられた規制部材と、カメラボディに設けられたロックピンが挿入されることでカメラ用アクセサリのカメラボディに対する回転を規制するためのロックピン孔と、を備え、規制部材は、所定径の円の中心を挟んで、ロックピン孔の略反対側の位置に設けられていることを特徴とする各種構造のカメラ用アクセサリを含むものである。
また、本発明は、上述した実施の形態のものに何ら限定されず、カメラボディ側マウントを備えるカメラボディに対して着脱可能なアクセサリであって、且つ、所定径の円の円周方向に沿って互いに離間して当該円周上から径方向の外側に向けて突出して配設された第１〜第３の爪を有するバヨネット構造のアクセサリ側マウントと、レンズと、を備えるカメラ用アクセサリにおいて、アクセサリ側マウントをカメラボディ側マウントに対して正規の挿抜位相で挿入した際に、第１〜第３の爪のいずれもがカメラボディ側マウントに設けられている３つのカメラボディ側爪に阻害されることなく、カメラボディ側マウントへの挿入が許可されるように、第１〜第３の爪はアクセサリ側マウントに配設されており、第１〜第３の爪は、円周方向に延在する長さがそれぞれ異なり、第１の爪は、円周方向に延在する長さが第１〜第３の爪の中で最も長く、第３の爪は、円周方向に延在する長さが第１〜第３の爪の中で最も短く、アクセサリ側マウントは、第３の爪の近傍に設けられた規制部材と、カメラボディに設けられたロックピンが挿入されることでカメラ用アクセサリのカメラボディに対する回転を規制するためのロックピン孔と、を備え、規制部材は、レンズの光軸を挟んで、ロックピン孔の略反対側の位置に設けられていることを特徴とする各種構造のカメラ用アクセサリを含むものである。
また、本発明は、上述した実施の形態のものに何ら限定されず、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、３つのカメラボディ側溝のうちの所定円の円周方向に延在する長さが最も長い第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、３つのカメラボディ側溝のうちの第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、３つのカメラボディ側溝のうちの所定円の円周方向に延在する長さが最も短い第３のカメラボディ側溝への挿入が許可されるようにアクセサリ側マウントに配設されており、アクセサリ側マウントは、第３のアクセサリ側爪の近傍に設けられた規制部材と、カメラボディに設けられたロックピンが挿入されるとカメラ用アクセサリのカメラボディに対する回転を規制するためのロックピン孔と、を備え、規制部材は、所定径の円の中心を挟んで、ロックピン孔の略反対側の位置に設けられていることを特徴とする各種構造のカメラ用アクセサリを含むものである。
また、本発明は、上述した実施の形態のものに何ら限定されず、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントを備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、所定円の円周方向に延在する範囲の中心角が略７８．５度の第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、所定円の円周方向に延在する範囲の中心角が略６１度の第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、所定円の円周方向に延在する範囲の中心角が略４７．５度の第３のカメラボディ側溝への挿入が許可されるようにアクセサリ側マウントに配設されており、アクセサリ側マウントは、第３のアクセサリ側爪の近傍に設けられた規制部材と、カメラボディに設けられたロックピンが挿入されるとカメラ用アクセサリのカメラボディに対する回転を規制するためのロックピン孔と、を備え、規制部材は、所定径の円の中心を挟んで、ロックピン孔の略反対側の位置に設けられていることを特徴とする各種構造のカメラ用アクセサリを含むものである。
また、本発明は、上述した実施の形態のものに何ら限定されず、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントと、レンズと、を備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、３つのカメラボディ側溝のうちの所定円の円周方向に延在する長さが最も長い第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、３つのカメラボディ側溝のうちの第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、３つのカメラボディ側溝のうちの所定円の円周方向に延在する長さが最も短い第３のカメラボディ側溝への挿入が許可されるようにアクセサリ側マウントに配設されており、アクセサリ側マウントは、第３のアクセサリ側爪の近傍に設けられた規制部材と、カメラボディに設けられたロックピンが挿入されるとカメラ用アクセサリのカメラボディに対する回転を規制するためのロックピン孔と、を備え、規制部材は、レンズの光軸を挟んで、ロックピン孔の略反対側の位置に設けられていることを特徴とする各種構造のカメラ用アクセサリを含むものである。
また、本発明は、上述した実施の形態のものに何ら限定されず、所定円の円周方向に沿って互いに離間して配設され且つ当該所定円の円周から径方向の内側に向かって突出して配設された互いに円周方向に延在する長さの異なる第１〜第３のカメラボディ側爪と、円周方向において３つのボディ側爪の間に設けられ且つ円周方向に延在する長さが互いに異なる第１〜第３のカメラボディ側溝とを有するバヨネット構造のカメラボディ側マウントを備えるカメラボディに対して着脱可能なアクセサリであって、且つ、所定径の円の円周方向に沿って互いに離間して当該円周上から径方向の外側に向けて突出して配設された第１〜第３のアクセサリ側爪を有するバヨネット構造のアクセサリ側マウントと、レンズと、を備えるカメラ用アクセサリにおいて、アクセサリ側マウントをカメラボディ側マウントに対して正規の挿抜位相で挿入した際に、第１〜第３のアクセサリ側爪のいずれもが、３つのカメラボディ側爪に阻害されることなく３つのカメラボディ側溝への挿入が許可されるように、第１〜第３のアクセサリ側爪はアクセサリ側マウントに配設されており、第１のアクセサリ側爪は、アクセサリ側マウントをカメラボディ側マウントに対して正規の挿抜位相で挿入した際に、所定円の円周方向に延在する範囲の中心角が略７８．５度の第１のカメラボディ側溝への挿入が許可されるようにアクセサリ側マウントに配設されており、第２のアクセサリ側爪は、アクセサリ側マウントをカメラボディ側マウントに対して正規の挿抜位相で挿入した際に、所定円の円周方向に延在する範囲の中心角が略６１度の第２のカメラボディ側溝への挿入が許可されるようにアクセサリ側マウントに配設されており、第３のアクセサリ側爪は、アクセサリ側マウントをカメラボディ側マウントに対して正規の挿抜位相で挿入した際に、所定円の円周方向に延在する範囲の中心角が略４７．５度の第３のカメラボディ側溝への挿入が許可されるようにアクセサリ側マウントに配設されており、アクセサリ側マウントは、第３のアクセサリ側爪の近傍に設けられた規制部材と、カメラボディに設けられたロックピンが挿入されるとカメラ用アクセサリのカメラボディに対する回転を規制するためのロックピン孔と、を備え、規制部材は、レンズの光軸を挟んで、ロックピン孔の略反対側の位置に設けられていることを特徴とする各種構造のカメラ用アクセサリを含むものである。